(57)【要約】【課題】本発明は、クリンルーム等の入口付近の床面に置いて、チリや履物の泥等の異物の進入を防止する静電誘導防止層を設けた異物吸着シートを提供するものである。【解決手段】ポリエチレンテレフタレート等からなる基材シート（１１）上に、静電誘導防止層（１２）と粘着剤層（１５）とを順次積層してなる構成を特徴とする異物吸着シートである。また、ポリエチレンテレフタレート等からなる基材シート（１１）の裏面に静電誘導防止層（１２）を設け、一方の基材シート（１１）の表面側に粘着剤層（１５）を設けた構成の異物吸着シートである。【選択図】図１
2005262612.tif 000002
【特許請求の範囲】
【請求項１】
ポリエチレンテレフタレート等からなる基材シート（１１）上に、静電誘導防止層（１２）と粘着剤層（１５）とを積層してなる構成を特徴とする異物吸着シート。
【請求項２】
前記ポリエチレンテレフタレート等からなる基材シート（１１）の裏面に静電誘導防止層（１２）を設け、一方、該基材シート（１１）の表面側に粘着剤層（１５）を設けたことを特徴とする請求項１に記載の異物吸着シート。
【発明の詳細な説明】
【技術分野】
【０００１】
本発明は、クリンルーム等の入口付近の床面に置いて、クリーンルーム入室者の履物に付着したチリや泥等の飛散や進入を防止する異物吸着シートに関するものである。
【背景技術】
【０００２】
従来より、精密部品等を製造する室内は常にクリーンな状態を保つために、チリや綿埃等を吸引排除する精密なエヤーコンディショナー等により室内空気清浄を行っている。一方、この入口に置いてはエヤーシャワー等により衣服等に付着したチリや綿埃の除去と共に、入室者の履物の裏側のチリや泥等の異物をとる粘着シートが知られている。
【０００３】
従来の異物粘着シートは図５に示すように、樹脂シート等の基材シート１１上に粘着剤（１５）を塗布した粘着シート（３０）であり、必ずこのシート上を歩いてチリや泥を落とすようにしてクリーンルーム内にこれらの異物（ｔ）を持ち込まないようにしたものである。また、この裏面には固定のための接着剤等を設けたものが一般的であり、この表面の異物を付着させる粘着剤の効果が劣化した場合には、その都度床から剥がして粘着シート毎交換する必要があった。これに対して、フィルムの外表面がフィルム自体であって、しかも高い帯電防止性能を長く持続することのできる素材が開発されている。
【０００４】
特開平７−２５２４５６号公報（特許文献１）によれば、静電誘導防止性を有する架橋性重合体からなる接着プライマー、及び該プライマー層を有する積層フィルムが提案されると共に実用化されている。すなわち、プラスチックフィルム外表面の静電気発生を抑止し、包装材料、情報記録材料、建築材料、印刷材料、電子材料等の多くの静電気障害を問題とする分野に有効な材料である。
【０００５】
この積層フィルムの活用を挙げるならば、粘着シートではなく包装材料であるが、帯電防止剤として従来使用されてきた界面活性剤を使用せずに、静電気の帯電を有効に防止することができる帯電防止性包装材料が提案されている。
【０００６】
特開平９−２４５７２号公報（特許文献２）によれば、基材上に設けた帯電防止層とからなる帯電防止性包装材料であり、さらに前記帯電防止層上にシーラント層を形成した包装材料である。従って、包装材料表面の帯電を防止できると共に、その裏面に静電誘導により帯電が生ずることを防止する包装材が提案されている。
【０００７】
特許文献は以下の通り。
【特許文献１】特開平７−２５２４５６号公報（特許第２６０８３８３号）
【特許文献２】特開平９−２４５７２号公報
【発明の開示】
【発明が解決しようとする課題】
【０００８】
先に述べたように、粘着シート（３０）は新しい内は表面の粘着剤（１５）に履物の底に着いた泥、チリ等の異物（ｔ）を良く取る（粘着させる）ことができるが、これらの異物が溜まり粘着性が劣化すると取ることが難しくなる。また、靴などの履物の周囲や底に着いた異物は、履物の底が粘着シートを離れるときに剥離帯電による静電気が発生し空中に異物が飛んだり、また、異物自体の静電気で付着した異物も取り除くことが難しい問題もあった。さらに、衣服に着いたチリ等はエアーシャワーにより落とされるがチリ自体が
帯電しており、粘着シートだけでは付着させることができない等の問題があり、絶えず新品の粘着シートと交換する必要があり、経済的にも無駄が多かった。
【０００９】
そこで本発明は、上記の問題を解決するためになされたもので、クリンルーム等の入口付近の床面に置いて、チリや履物の泥等の異物の進入を防止する静電誘導防止層を設けた異物吸着シートを提供するものである。
【課題を解決するための手段】
【００１０】
本発明の請求項１に係る発明は、
ポリエチレンテレフタレート等からなる基材シート（１１）上に、静電誘導防止層（１２）と粘着剤層（１５）とを積層してなる構成を特徴とする異物吸着シートである。
【００１１】
本発明の請求項２に係る発明は、
前記ポリエチレンテレフタレート等からなる基材シート（１１）の裏面に静電誘導防止層（１２）を設け、該基材シート（１１）の表面側に粘着剤層（１５）を設けたことを特徴とする異物吸着シートである。
【発明の効果】
【００１２】
本発明は、ポリエチレンテレフタレート等からなる基材シート上に、静電誘導防止層と粘着剤層とを積層してなる構成を特徴とするものである。従って、従来における靴などの履物の周囲や底に着いた異物や、履物の底が粘着シートを離れるときに剥離帯電による静電気の発生による異物が飛んだり等の、帯電したチリやゴミも取り除くことができる異物吸着シートを得ることができる。またこれらのチリ等を取り除く効果は長続きするので、吸着効果の劣化が遅くなり交換頻度が減少し、経済的に無駄を省くことが可能である。
【発明を実施するための最良の形態】
【００１３】
図に基づき本発明の最良の形態を説明する。図１は、本発明における一実施例を示す異物吸着シートの構成を示す説明図であり、図２は、本発明における他の実施例を示す異物吸着シートの構成を示す説明図である。
【００１４】
本発明は、基材上に静電誘導防止層、粘着剤層を順次積層する構成にすることにより、静電防止性能を備えた異物吸着シートを提供するものである。
【００１５】
図１に示すように、ポリエチレンテレフタレート等からなる基材シート（１１）上に、静電誘導防止層（１２）と粘着剤層（１５）とを積層してなる構成を特徴とするものである。
【００１６】
また、図２に示すように、前記ポリエチレンテレフタレート等からなる基材シート（１１）の裏面に静電誘導防止層（１２）を設け、この基材シート（１１）の表面側には粘着剤層（１５）を設けたことを特徴とするものである。
【００１７】
なお、図１に示す層構成と、図２に示す層構成を比較すると、基材シート（１１）上に静電誘導防止層（１２）と粘着剤層（１５）とを積層してなる構成が異物の吸着効果が大であるので、好ましくは図１に示す層構成の異物吸着シートが望ましい。
【００１８】
この発明に使用される基材シート（１１）は、ポリエチレンテレフタレート樹脂シートに限定されるものではなく、ポリエチレン（ＰＥ）、ポリプロピレン（ＰＰ）等を用いても良い。また、この発明に使用される静電誘導防止層としては、ボンディップＰＡ１００（登録商標、アルテック株式会社製）の積層シートを使用したものである。また、本発明の異物吸着シートにおいても粘着剤層（１５）は直接異物を付着させると共に、異物を飛
散させないためにも必ず設けることが必要である。
【実施例１】
【００１９】
図３に基づき実施例１を説明する。ポリエチレン樹脂よりなる基材シート（１１）の上に静電誘導防止層（１２）と粘着剤層（１５）とを積層してなる異物吸着シート（１０）を作成し、一方布で擦って静電気を帯電させた厚み１２μｍのホリエチレンテレフタレートシートに、小さな異物の代替品の異物（ｔ）として削り節カスを付着させた異物付着シート（２０）を異物吸着シートの粘着剤層面と異物付着シートの削り節カス面とを接触させない程度に近づけることにより、異物付着シートの削り節カスは異物吸着シートの粘着剤層に殆ど移行した。
【実施例２】
【００２０】
＜比較例１＞
図４に基づき比較例１を説明する。ポリエチレン樹脂よりなる基材シート（１１）の上に粘着剤層（１５）を設けた粘着シート（３０）（従来品と同様なもの）に、実施例１と同様に、異物付着シート（２０）を粘着剤層面と異物付着シートの削り節カス面とを接触させない程度に近づけても、異物付着シートの異物（ｔ）である削り節カスは粘着剤層に移行しなかった。
【産業上の利用可能性】
【００２１】
本発明の活用例として、クリーンルーム入口だけでなく、ビルディング等の建物入口に敷かれた足拭きマットの代替え品として等あらゆる異物吸着シートとして使用することができる。
【図面の簡単な説明】
【００２２】
【図１】本発明における一実施例を示す異物吸着シートの構成を示す説明図である。
【図２】本発明における他の実施例を示す異物吸着シートの構成を示す説明図である。
【図３】実施例１における異物移行状態を示す説明図である。
【図４】比較例１における異物移行状態を示す説明図である。
【図５】従来の吸着シートにおける状態を示す説明図である。
【符号の説明】
【００２３】
１０……異物吸着シート
１１……基材シート
１２……静電誘導防止層
１５……粘着剤層
２０……異物付着シート
３０……粘着シート
ｔ……異物
【図１】
2005262612.tif 000003
【図２】
2005262612.tif 000004
【図３】
2005262612.tif 000005
【図４】
2005262612.tif 000006
【図５】
2005262612.tif 000007